(57)【特許請求の範囲】
【請求項１】
多入力多出力システムにおけるデータ処理方法であって、
ユーザ端末のチャネル特性およびＱｏＳ要求に基づいて、各グループに少なくとも２つのユーザ端末が含まれるようにグルーピングを行い、対応のプリコーディングコードワードおよび循環遅延をグループごとに設定するステップＡと、
処理対象データに対応するユーザ端末の所属するグループを決定し、該グループに対応するプリコーディングコードワードおよび循環遅延により、該処理対象データに対して循環遅延ダイバーシティ（ＣＤＤ）プリコーディング処理を行うステップＢと、
を含むことを特徴とする方法。
【請求項２】
前記ステップＡとステップＢとの間に、グルーピングによって得られたあらゆるグループのグループ情報を基地局およびユーザ端末に記憶することをさらに含み、
ステップＢにおいて、前記処理対象データに対応するユーザ端末の所属するグループを決定することは、前記処理対象データに対応するユーザ端末が自分の特性パラメータを測定し、得られた特性パラメータにより自分のチャネル特性およびＱｏＳ要求を決定し、決定されたチャネル特性およびＱｏＳ要求、ならびに記憶されているあらゆるグループのグループ情報に基づいて該ユーザ端末の所属するグループを決定し、該グループのグループ情報を基地局に送信することを含む、
ことを特徴とする請求項１に記載の方法。
【請求項３】
前記ステップＡとステップＢとの間に、グルーピングによって得られたあらゆるグループのグループ情報を基地局に記憶することをさらに含み、
ステップＢにおいて、前記処理対象データに対応するユーザ端末の所属するグループを決定することは、前記処理対象データに対応するユーザ端末が自分の特性パラメータを測定し、得られた特性パラメータを基地局に送信し、基地局が、受信した特性パラメータにより前記ユーザ端末のチャネル特性およびＱｏＳ要求を決定し、決定されたチャネル特性およびＱｏＳ要求、ならびに記憶されているあらゆるグループのグループ情報に基づいて該ユーザ端末の所属するグループを決定することを含む、
ことを特徴とする請求項１に記載の方法。
【請求項４】
ステップＡにおいて、前記対応のプリコーディングコードワードおよび循環遅延をグループごとに設定した後に、各グループとプリコーディングコードワードおよび循環遅延との対応関係を基地局に記憶することをさらに含み、
ステップＢにおいて、前記該処理対象データに対してＣＤＤプリコーディング処理を行う前に、基地局が、記憶されている前記対応関係に基づいて、前記処理対象データに対応するユーザ端末の所属するグループのプリコーディングコードワードおよび循環遅延を検索することをさらに含む、
ことを特徴とする請求項２または３に記載の方法。
【請求項５】
前記処理対象データに対応するユーザ端末の所属するグループのプリコーディングコードワードおよび循環遅延を検索した後に、基地局が、検索されたプリコーディングコードワードおよび循環遅延を前記ユーザ端末に送信することをさらに含むことを特徴とする請求項４に記載の方法。
【請求項６】
ステップＡにおいて、前記対応のプリコーディングコードワードおよび循環遅延をグループごとに設定した後に、プリコーディングコードワードとプリコーディングコードワードインデックスとの対応関係、および循環遅延と循環遅延インデックスとの対応関係を基地局およびユーザ端末に記憶することをさらに含み、
前記処理対象データに対応するユーザ端末の所属するグループのプリコーディングコードワードおよび循環遅延を検索した後に、対応のプリコーディングコードワードインデックスおよび循環遅延インデックスを前記ユーザ端末に送信することをさらに含み、
ステップＢにおいて、前記該処理対象データに対してＣＤＤプリコーディング処理を行う前に、前記ユーザ端末が、記憶されているプリコーディングコードワードとプリコーディングコードワードインデックスとの対応関係、および循環遅延と循環遅延インデックスとの対応関係に基づいて、受信したインデックスに対応するプリコーディングコードワードおよび循環遅延を検索することをさらに含む、
ことを特徴とする請求項４に記載の方法。
【請求項７】
前記ステップＡとステップＢとの間に、グルーピングによって得られたあらゆるグループのグループ情報をユーザ端末に記憶することをさらに含み、
ステップＢにおいて、前記処理対象データに対応するユーザ端末の所属するグループを決定することは、前記処理対象データに対応するユーザ端末が、自分の特性パラメータを測定し、得られた特性パラメータにより自分のチャネル特性およびＱｏＳ要求を決定し、決定されたチャネル特性およびＱｏＳ要求、ならびに記憶されているあらゆるグループのグループ情報に基づいて該ユーザ端末の所属するグループを決定することを含む、
ことを特徴とする請求項１に記載の方法。
【請求項８】
ステップＡにおいて、前記対応のプリコーディングコードワードおよび循環遅延をグループごとに設定した後に、各グループとプリコーディングコードワードおよび循環遅延との対応関係をユーザ端末に記憶することをさらに含み、
ステップＢにおいて、前記該処理対象データに対してＣＤＤプリコーディング処理を行う前に、前記ユーザ端末が、記憶されている前記対応関係に基づいて、自分の所属するグループのプリコーディングコードワードおよび循環遅延を検索することをさらに含む、
ことを特徴とする請求項７に記載の方法。
【請求項９】
ステップＢにおいて、前記該グループに対応するプリコーディングコードワードおよび循環遅延により、該処理対象データに対してＣＤＤプリコーディング処理を行うことは、前記プリコーディングコードワードにより前記処理対象データに対してプリコーディング処理を行い、次いで前記循環遅延によりプリコーディング処理結果に対してＣＤＤ処理を行うことを含むことを特徴とする請求項１に記載の方法。
【請求項１０】
前記プリコーディング処理と前記ＣＤＤ処理との間に、または前記ＣＤＤ処理の後に、処理対象データに対してシリアル／パラレル変換と逆高速フーリエ変換とを行うことをさらに含むことを特徴とする請求項９に記載の方法。
【請求項１１】
多入力多出力システムにおけるデータ処理装置であって、
ユーザ端末のチャネル特性およびＱｏＳ要求に基づいて、各グループに少なくとも２つのユーザ端末が含まれるようにグルーピングを行い、対応のプリコーディングコードワードおよび循環遅延をグループごとに設定し、処理対象データに対応するユーザ端末の所属するグループを決定し、該グループのプリコーディングコードワードおよび循環遅延をＣＤＤプリコーディング処理モジュールに送信するグルーピングモジュールと、
受信したプリコーディングコードワードおよび循環遅延により、該処理対象データに対してＣＤＤプリコーディング処理を行うＣＤＤプリコーディング処理モジュールと、
を含むことを特徴とする装置。
【請求項１２】
前記グルーピングモジュールが、
ユーザ端末のチャネル特性およびＱｏＳ要求に基づいてグルーピングを行い、各グループに対応するプリコーディングコードワードおよび循環遅延を決定し、グルーピングによって得られたあらゆるグループのグループ情報、ならびに、グループとプリコーディングコードワードおよび循環遅延との対応関係を記憶サブモジュールに送信し、前記グルーピングモジュール外部から処理対象データに対応するユーザ端末のグループ情報を受信し、該ユーザ端末の所属するグループを決定し、該グループに対応するプリコーディングコードワードおよび循環遅延を、記憶サブモジュールから読み取って、ＣＤＤプリコーディング処理モジュールに送信する制御サブモジュールと、
前記制御サブモジュールからのあらゆるグループのグループ情報、ならびに、グループとプリコーディングコードワードおよび循環遅延との対応関係を受信記憶し、処理対象データに対応するユーザ端末の所属するグループに対応するプリコーディングコードワードおよび循環遅延を、制御サブモジュールへ提供する記憶サブモジュールと、
を含むことを特徴とする請求項１１に記載の装置。
【請求項１３】
前記グルーピングモジュールが、
ユーザ端末のチャネル特性およびＱｏＳ要求に基づいてグルーピングを行い、各グループに対応するプリコーディングコードワードおよび循環遅延を決定し、グルーピングによって得られたあらゆるグループのグループ情報、ならびに、グループとプリコーディングコードワードおよび循環遅延との対応関係を記憶サブモジュールに送信し、処理対象データに対応するユーザ端末の特性パラメータを外部から受信し、前記ユーザ端末のチャネル特性およびＱｏＳ要求を決定し、該ユーザ端末の所属するグループを得、該グループに対応するプリコーディングコードワードおよび循環遅延を、記憶サブモジュールから読み取って、ＣＤＤプリコーディング処理モジュールに送信する制御サブモジュールと、
前記制御サブモジュールからのあらゆるグループのグループ情報、ならびに、グループとプリコーディングコードワードおよび循環遅延との対応関係を受信記憶し、処理対象データに対応するユーザの所属するグループに対応するプリコーディングコードワードおよび循環遅延を、制御サブモジュールへ提供する記憶サブモジュールと、
を含むことを特徴とする請求項１１に記載の装置。
【請求項１４】
前記グルーピングモジュールおよびＣＤＤプリコーディング処理モジュールが基地局に位置することを特徴とする請求項１２または１３に記載の装置。
【請求項１５】
前記グルーピングモジュールが、
前記処理対象データに対応するユーザ端末の特性パラメータを測定し、得られた特性パラメータを制御サブモジュールに送信する測定サブモジュールと、
ユーザ端末のチャネル特性およびＱｏＳ要求に基づいてグルーピングを行い、各グループに対応するプリコーディングコードワードおよび循環遅延を決定し、グルーピングによって得られたあらゆるグループのグループ情報、ならびに、グループとプリコーディングコードワードおよび循環遅延との対応関係を記憶サブモジュールに送信し、測定サブモジュールからの特性パラメータを受信し、受信した特性パラメータに基づいて該ユーザ端末のチャネル特性およびＱｏＳ要求を決定し、該ユーザ端末の所属するグループを得、記憶サブモジュールから該グループに対応するプリコーディングコードワードおよび循環遅延を読み取る制御サブモジュールと、
前記制御サブモジュールからのあらゆるグループのグループ情報、ならびに、グループとプリコーディングコードワードおよび循環遅延との対応関係を受信記憶し、処理対象データに対応するユーザ端末の所属するグループに対応するプリコーディングコードワードおよび循環遅延を、制御サブモジュールへ提供する記憶サブモジュールと、
を含むことを特徴とする請求項１１に記載の装置。
【請求項１６】
前記グルーピングモジュールおよびＣＤＤプリコーディング処理モジュールがユーザ端末に位置し、または、前記測定サブモジュールおよびＣＤＤプリコーディング処理モジュールがユーザ端末に位置し、前記制御サブモジュールおよび記憶サブモジュールが基地局に位置することを特徴とする請求項１５に記載の装置。
【請求項１７】
前記グルーピングモジュールが、
前記処理対象データに対応するユーザ端末の特性パラメータを測定し、得られた特性パラメータを制御サブモジュールに送信する測定サブモジュールと、
ユーザ端末のチャネル特性およびＱｏＳ要求に基づいてグルーピングを行い、各グループに対応するプリコーディングコードワードおよび循環遅延を決定し、グルーピングによって得られたあらゆるグループのグループ情報、ならびに、グループとプリコーディングコードワードインデックスおよび循環遅延インデックスとの対応関係を記憶サブモジュールに送信し、プリコーディングコードワードとプリコーディングコードワードインデックスとの対応関係、および循環遅延と循環遅延インデックスとの対応関係を第２制御サブモジュールに送信し、測定サブモジュールからの特性パラメータを受信し、受信した特性パラメータに基づいて該ユーザ端末のチャネル特性およびＱｏＳ要求を決定し、該ユーザ端末の所属するグループを得、記憶サブモジュールから該グループに対応するプリコーディングコードワードインデックスおよび循環遅延インデックスを読み取り、得られたインデックスを第２制御サブモジュールに送信する制御サブモジュールと、
前記制御サブモジュールからのあらゆるグループのグループ情報、ならびに、グループとプリコーディングコードワードインデックスおよび循環遅延インデックスとの対応関係を受信記憶し、処理対象データに対応するユーザ端末の所属するグループに対応するプリコーディングコードワードインデックスおよび循環遅延インデックスを、制御サブモジュールへ提供する記憶サブモジュールと、
前記制御サブモジュールからのプリコーディングコードワードとプリコーディングコードワードインデックスとの対応関係、および循環遅延と循環遅延インデックスとの対応関係を受信し、受信した対応関係を第２記憶サブモジュールに送信し、制御サブモジュールからのプリコーディングコードワードインデックスおよび循環遅延インデックスを受信し、前記インデックスに対応するプリコーディングコードワードおよび循環遅延を、第２記憶サブモジュールから読み取って、前記ＣＤＤプリコーディング処理モジュールに送信する第２制御サブモジュールと、
プリコーディングコードワードとプリコーディングコードワードインデックスとの対応関係、および循環遅延と循環遅延インデックスとの対応関係を記憶する第２記憶サブモジュールと、
を含むことを特徴とする請求項１１に記載の装置。
【請求項１８】
前記測定サブモジュールと、第２制御サブモジュールと、第２記憶サブモジュールと、ＣＤＤプリコーディング処理モジュールとがユーザ端末に位置し、前記制御サブモジュールと記憶サブモジュールとが基地局に位置することを特徴とする請求項１７に記載の装置。
【請求項１９】
前記ＣＤＤプリコーディング処理モジュールが、
外部からの処理対象データと、前記グルーピングモジュールからのプリコーディングコードワードとを受信し、受信したプリコーディングコードワードにより処理対象データに対してプリコーディング処理を行い、プリコーディング処理結果をＣＤＤ処理サブモジュールに送信するプリコーディングサブモジュールと、
グルーピングモジュールからの循環遅延と、プリコーディングサブモジュールからのプリコーディング処理結果とを受信し、受信した循環遅延によりプリコーディング処理結果に対してＣＤＤ処理を行うＣＤＤ処理サブモジュールと、
を含むことを特徴とする請求項１１に記載の装置。
【請求項２０】
ＣＤＤ処理サブモジュールからのＣＤＤプリコーディング処理結果を受信し、受信した該ＣＤＤプリコーディング処理結果に対してシリアル／パラレル変換と逆高速フーリエ変換とを行い、または、プリコーディングサブモジュールからのプリコーディング処理結果を受信し、受信したプリコーディング処理結果に対してシリアル／パラレル変換と逆高速フーリエ変換とを行い、変換結果を前記ＣＤＤ処理サブモジュールに送信する変換モジュールをさらに含むことを特徴とする請求項１９に記載の装置。
【発明の詳細な説明】
【技術分野】
【０００１】
本発明は、多入力多出力（ＭＩＭＯ）技術に関し、特に多入力多出力システムにおけるデータ処理方法およびその装置に関する。
【背景技術】
【０００２】
ＭＩＭＯ技術の核心は、マルチアンテナを用いてマルチ送受信を実現することにより、空間リソースを充分に開発することである。狭帯域チャネルの条件で、ＭＩＭＯシステムのチャネル容量が近似的に送受信アンテナ数の最小値に正比例するため、周波数リソースおよびアンテナの送信電力を増加することなく、チャネル容量および周波数利用効率を倍的に向上させることができる。
【０００３】
ＯＦＤＭ技術は、マルチキャリア伝送技術であって、チャネルを若干の直交サブチャネルに分割し、高速データストリームを並列の低速サブデータストリームに変換して、各サブチャネルに変調して伝送する。ＯＦＤＭシステムの代表的な特徴は、サブチャネル間の相互干渉（ＩＣＩ）が小さく、周波数リソースの利用効率が高く、周波数選択性フェージングとシンボル間干渉の耐性がより高いなどである。
【０００４】
ＭＩＭＯ技術およびＯＦＤＭ技術のメリットを充分に発揮するために、現在、ＯＦＤＭの上で空間リソースを合理的に開発しており、ＭＩＭＯとＯＦＤＭとを組合わせることにより、ＭＩＭＯ−ＯＦＤＭシステムを形成する。ＭＩＭＯ−ＯＦＤＭシステムにおいて、ユーザサービス品質（ＱｏＳ）を確保する前提で、更に高いデータ伝送レートを提供することができる。
【０００５】
平坦なチャネルで周波数選択性チャネル効果を得るために、通常、ＭＩＭＯ−ＯＦＤＭシステムの処理対象データにおいて循環遅延を導入し、即ち、異なる送信アンテナにおける送信対象データを異なる循環遅延に対応させることにより、循環遅延ダイバーシティ（ＣＤＤ）が得られる。上記循環遅延を導入する操作はＣＤＤ処理と呼ばれる。また、ＭＩＭＯ−ＯＦＤＭシステムにおける信号伝送品質を向上させるために、通常、所定のコードブックを用いて処理対象データに対してプリコーディング操作を行う。即ち、コードブックにおける、現在チャネルに最もマッチングするコードワードと処理対象データとを乗算する。現在、常に上記のＣＤＤ処理とプリコーディング処理とを組合わせて、ＣＤＤプリコーディング技術を形成することにより、平坦なチャネル環境でマルチユーザスケジューリング性能の劣化問題を更に緩和し、信号品質を向上させる。
【０００６】
図１は従来の基地局側がＣＤＤプリコーディング方式でデータ処理を行うフローチャートである。図１を参照して、下り方向を例として、該データ処理方法は下記のステップを含む。
【０００７】
ステップ１０１において、無線リソースを各ユーザ端末に割り当て、各ユーザ端末の信号ストリームを用いて処理対象データを構成する。
【０００８】
ここで、下り方向のデータ処理を行う必要があるため、基地局は、マルチユーザの正常な伝送を確保するように、ＭＩＭＯ−ＯＦＤＭシステムにおける各ユーザ端末に無線リソースを割り当てる。また、基地局が下り方向でマルチユーザと通信する必要があるため、本ステップにおいて、各ユーザ端末に対応する信号ストリームを合成して処理対象データを構成する必要がある。例えば、各ユーザに対応する信号ストリームを１行として、処理対象データ行列を形成する。
【０００９】
ステップ１０２において、所定のコードブックから、セル内のユーザ端末に対応するコードワードを選択し、処理対象データに対してプリコーディング処理を行う。
【００１０】
ＭＩＭＯ−ＯＦＤＭシステムにおいて、基地局と端末に同じコードブックを予め設定する。前記コードブックには、プリコーディング用のコードワードが複数含まれる。端末は、自分の測定によって現在のチャネル品質を決定し、コードブックから、決定されたチャネル応答に最もマッチングするコードワードを選択して、該コードワードインデックスを基地局にフィードバックする。基地局は、端末から報告されたコードワードインデックスを受信した後に、コードブックから、該コードブックインデックスの代表するコードワードを選択して、該ユーザ端末の所属するセルにおけるあらゆるユーザ端末に対応するコードワードとする。今回のデータ処理においてセル内のユーザ端末に対応するコードワードが決定された後、選択されたコードワードと、処理対象信号における各ユーザ端末の信号ストリームとを乗算して、プリコーディング処理結果を得る。
【００１１】
ステップ１０３において、所定の各アンテナの循環遅延により、プリコーディング処理結果に対してＣＤＤ処理を行う。
【００１２】
通常、各アンテナに対応する循環遅延はそれぞれ、ＯＦＤＭチップ（ｃｈｉｐ）を基本単位とし、長時間で緩やかに変化する。例えば、２×２（送信×受信）のＭＩＭＯ−ＯＦＤＭシステムにおいて、送信アンテナ１および送信アンテナ２とも信号［Ｓ１，Ｓ２，…ＳＮ］を送信し、ここで、Ｓ１が時間上でＳＮより早いことを想定する。送信アンテナ１に対応する循環遅延が−１個のＯＦＤＭチップであり、送信アンテナ２に対応する循環遅延が２個のＯＦＤＭチップであるとすれば、送信アンテナ１で送信される信号が時間の前後順序でＳＮ→Ｓ１→…→ＳＮ−２→ＳＮ−１となり、送信アンテナ２で送信される信号が時間の前後順序でＳ３→…→ＳＮ→Ｓ１→Ｓ２となる。ここからわかるように、信号に対してＣＤＤ処理を行うことは、実質的に、循環遅延がゼロより大きい場合、時間順序で前のｎ個のシンボルを、時間順序で後ろの位置に順次並べて伝送し、循環遅延がゼロより小さい場合、時間順序で後ろのｎ個のシンボルを、時間順序で前の位置に順次並べて伝送することである。
【００１３】
上記のステップ１０２と１０３とを合併して共同操作を行ってよい。即ち、伝送対象信号とＣＤＤプリコーディングコードワードとを乗算することで、ＣＤＤプリコーディング処理を実現する。ここのＣＤＤプリコーディングコードワードは、
【数１】
0005241380.tif 000002
と表されることができる。ここで、
【数２】
0005241380.tif 000003
はＣＤＤプリコーディングコードワードを表し、ＷＣｏｎｖｅｎｔｉｏｎａｌは伝統的なプリコーディングコードワードであり、
【数３】
0005241380.tif 000004
はＣＤＤ処理部分であり、そのうち、ｋはサブキャリア順番であり、Ｎｃはサブキャリア数であり、ｄｉはｉ本目のアンテナの循環遅延である。
【００１４】
ここまで、従来のデータ処理プロセスを終了する。
【００１５】
上記処理を行った後、ＣＤＤ処理結果に対してシリアル／パラレル（Ｓ／Ｐ）変換、逆高速フーリエ変換（ＩＦＦＴ）および循環プリフィックスの挿入などの処理を行って、伝送対象信号を形成し、対応のアンテナを介して送信するようにしてもよい。
【発明の開示】
【発明が解決しようとする課題】
【００１６】
上記のデータ処理プロセスからわかるように、同一セルに位置するユーザ端末が用いたプリコーディングコードワード部分ＷＣｏｎｖｅｎｔｉｏｎａｌは同じである。１つのセルに、異なるニーズがあるユーザ端末が存在するため、これらのユーザ端末によって、チャネル応答を反映するプリコーディングコードワードへの要求も異なっている。しかしながら、ある種類のコードワードは、あるニーズのユーザ端末にしか適合できず、他のユーザ端末の信号伝送品質に影響を与える。例えば、低ビット誤り率をコードワードの選択基準とすれば、選択されるコードワードは、高い周波数利用効率を要するユーザ端末に適合できない。また、従来の循環遅延が長時間で緩やかに変化するものに過ぎないため、セルに移動速度の速いユーザ端末が存在する場合、長時間で緩やかに変化する循環遅延は、これらのユーザ端末のチャネル変化速度に適用されることができず、高速で移動するユーザ端末の信号伝送品質も確保できない。ここからわかるように、従来のデータ処理方法において、各ユーザ端末に対してＣＤＤプリコーディングコードワードの選択を行うことができないため、あらゆるユーザ端末のニーズを満たすことができず、ＭＩＭＯシステムにおける信号品質に影響を及ぼす。
【課題を解決するための手段】
【００１７】
本発明は、上記の事情に鑑みてなされたものであり、ＭＩＭＯシステムにおける信号品質を向上させることができるデータ処理方法を提供している。
【００１８】
本発明に係るデータ処理方法において、
ユーザ端末のチャネル特性およびＱｏＳ要求に基づいてグルーピングを行い、対応のプリコーディングコードワードおよび循環遅延をグループごとに設定するステップＡと、
処理対象データに対応するユーザ端末の所属するグループを決定し、該グループに対応するプリコーディングコードワードおよび循環遅延により、該処理対象データに対して循環遅延ダイバーシティ（ＣＤＤ）プリコーディング処理を行うステップＢと、を含む。
【００１９】
また、本発明は、ＭＩＭＯシステムにおける信号品質を向上させることができるデータ処理装置を提供している。
【００２０】
本発明のデータ処理装置において、
ユーザ端末のチャネル特性およびＱｏＳ要求に基づいてグルーピングを行い、対応のプリコーディングコードワードおよび循環遅延をグループごとに設定し、処理対象データに対応するユーザ端末の所属するグループを決定し、該グループのプリコーディングコードワードおよび循環遅延をＣＤＤプリコーディング処理モジュールに送信するグルーピングモジュールと、
受信したプリコーディングコードワードおよび循環遅延により、該処理対象データに対してＣＤＤプリコーディング処理を行うＣＤＤプリコーディング処理モジュールと、
を含む。
【発明の効果】
【００２１】
本発明によれば、ＭＩＭＯシステムにおける信号品質を向上させることができる。具体的に、本発明は以下のような有益な効果を持っている。
【００２２】
本発明において、チャネル特性およびＱｏＳ要求に基づいて、ユーザ端末を異なるグループに分割し、各グループには、グループ内のユーザ端末に適合するプリコーディングコードワードおよび循環遅延がある。そのため、上りまたは下りデータの処理を行うとき、使われるプリコーディングコードワードおよび循環遅延は、ユーザ端末のチャネル特性によく適応し、そのＱｏＳ要求を満たすことができる。従って、従来のデータ処理方案に比べて、本発明における信号品質は大いに向上することができる。
【発明を実施するための最良の形態】
【００２３】
本発明の目的、解決手段をさらに明確にするように、図面を参照して実施例を挙げながら、本発明についてさらに詳しく説明する。
【００２４】
本発明は、ＭＩＭＯシステムにおけるデータ処理方法である。その基本思想は、ユーザ端末のチャネル特性およびＱｏＳ要求に基づいてグルーピングを行い、各グループのユーザ端末が同じＣＣＤ遅延およびプリコーディングコードワードに対応することである。
【００２５】
図２は本発明に係るデータ処理方法の例示的なフローチャートである。図２を参照すると、該方法は下記のステップを含む。
【００２６】
ステップ２０１において、ユーザ端末のチャネル特性およびＱｏＳ要求に基づいてグルーピングを行い、対応のプリコーディングコードワードおよび循環遅延をグループごとに設定する。
【００２７】
ステップ２０２において、処理対象データに対応するユーザ端末の所属するグループを決定し、該グループに対応するプリコーディングコードワードおよび循環遅延により、該処理対象データに対してＣＤＤプリコーディング処理を行う。
【００２８】
上記プロセスの操作によれば、本発明において、チャネル特性およびＱｏＳ要求に基づいて、ユーザ端末を異なるグループに分割し、各グループには、グループ内のユーザ端末に適合するプリコーディングコードワードおよび循環遅延がある。そのため、上りまたは下りデータの処理を行うとき、使われるプリコーディングコードワードおよび循環遅延は、ユーザ端末のチャネル特性によく適応し、そのＱｏＳ要求を満たすことができる。従って、従来のデータ処理方案に比べて、本発明における信号品質は大いに向上することができる。
【００２９】
説明すべきものとして、上記チャネル特性はユーザ端末の移動速度、所在位置、見通し内（ＬＯＳ：ｌｉｎｅ  ｏｆ  ｓｉｇｈｔ）／見通し外（ＮＬＯＳ：ｎｏｎ  ｌｉｎｅ  ｏｆ  ｓｉｇｈｔ）などを含み、ＱｏＳ要求は作業モード、ビット誤り率、周波数利用効率、およびデータレートなどを含む。また、プリコーディングコードワードと循環遅延はいずれも長時間フィードバックと瞬時フィードバックなどのタイプに分けられてよい。例えば、長時間フィードバックの循環遅延（例えば、（ＮＣ／Ｎｔ×Ｉ）個のＯＦＤＭチップに等しく、ここで、ＮＣはサブキャリア数であり、Ｎｔは送信アンテナ数であり、Ｉはアンテナインデックスである。）は、高速で移動するユーザ端末や、セルのエッジに位置するユーザ端末に適合し、瞬時フィードバックの循環遅延（例えば、＋／−１、＋／−２、または＋／−３個のＯＦＤＭチップに等しい）は、低速で移動するユーザ端末、セルの中心に位置するユーザ端末、または見通し内にあるユーザ端末に適合し、ゼロ循環遅延は、見通し外にあるユーザ端末に適合する。
【００３０】
相応的に、図３は本発明に係るデータ処理装置を示す図である。図３を参照すると、該データ処理装置は、ユーザ端末のチャネル特性およびＱｏＳ要求に基づいてグルーピングを行い、対応のプリコーディングコードワードおよび循環遅延をグループごとに設定し、処理対象データに対応するユーザ端末の所属するグループを決定し、該グループのプリコーディングコードワードおよび循環遅延をＣＤＤプリコーディング処理モジュールに送信するグルーピングモジュールと、受信したプリコーディングコードワードおよび循環遅延により、該処理対象データに対してＣＤＤプリコーディング処理を行うＣＤＤプリコーディング処理モジュールと、を含む。
【００３１】
以下、具体的な実施例を挙げながら、上記データ処理方案を詳しく説明する。
【００３２】
（実施例１）
本実施例は下りデータの処理に対するものである。ＣＤＤプリコーディング処理プロセスは基地局で行われる。図４は本発明に係るデータ処理方法のフローチャートである。図４を参照すると、該方法は下記のステップを含む。
【００３３】
ステップ４０１において、ユーザ端末は自分のチャネル特性およびＱｏＳ要求に基づいて自分の所属するグループを決定し、グループ情報を所属するセル内の基地局に送信する。
【００３４】
循環遅延およびプリコーディングコードワードを各ユーザ端末に適合させるという問題を解決するために、本実施例において、基地局およびユーザ端末にグループ（例えば、セル中心・高移動速度グループ、セル中心・低移動速度グループ、セルエッジ・高移動速度グループ、セルエッジ・低移動速度グループなど）を予め設定し、決定されたあらゆるグループのグループ情報を基地局およびユーザ端末に記憶するようにしてよい。異なるタイプのユーザ端末を代表するグループを分割した後に、基地局は、適当なプリコーディングコードワードおよび循環遅延をグループごとに選択する。例えば、セル中心・高移動速度グループは、長時間フィードバックの循環遅延および長時間フィードバックのプリコーディングコードワードに対応する。後続検索を便利に行うために、基地局には、グループとプリコーディングコードワードおよび循環遅延との対応関係を記載するＣＤＤプリコーディングパラメータ表を作成するようにしてよい。
【００３５】
本ステップにおいて、ユーザ端末は、特性パラメータを測定することによって、自分の現在のチャネル特性（例えば、高／低速移動、セル中心／エッジに位置すること、マルチユーザ（ＭＵ）−ＭＩＭＯ／シングルユーザ（ＳＵ）−ＭＩＭＯモードにあること、および見通し内／外など）を決定するようにしてよい。また、ユーザ端末は、上記測定された特性パラメータに基づいて、現在のＱｏＳ要求（例えば、低ビット誤り率要求または高データレート要求など）を決定するようにしてもよい。チャネル特性およびＱｏＳ要求が決定された後、該ユーザ端末の所属すべきグループを決定することができ、次に、該グループ情報を、上りチャネルを介して基地局に送信することにより、基地局が後続のデータ処理を行う依拠とする。
【００３６】
ステップ４０２において、基地局は受信したグループ情報に基づいて、処理対象データに係るユーザ端末の所属するグループに対応するプリコーディングコードワードおよび循環遅延を決定する。
【００３７】
本ステップにおいて、基地局はグループ情報を受信した後、予め作成されたＣＤＤプリコーディングパラメータ表を検索することで、グループ情報を送信してきたユーザ端末の所属するグループに対応するプリコーディングコードワードおよび循環遅延を見つけることができる。
【００３８】
以上の２つのステップは、ユーザ端末が自分の所属するグループを自発的に決定する第１方式である。本実施例において、基地局がユーザ端末の所属するグループを自発的に決定する第２方式を採用するようにしてもよい。第２方式では、基地局のみに、グループを予め設定し、ＣＤＤプリコーディングパラメータ表を作成する。ユーザ端末は定期的に、または基地局の通知で測定を行って、自分の特性パラメータ（例えば、チャネル統計特性、移動速度など）を決定し、決定された特性パラメータを基地局に送信する。基地局は、ユーザ端末の特性パラメータを受信した後、これらの特性パラメータに基づいて該ユーザ端末のチャネル特性およびＱｏＳ要求を決定し、次に、チャネル特性およびＱｏＳ要求に基づいて該ユーザ端末を対応のグループに入れ、ＣＤＤプリコーディングパラメータ表に基づいて該ユーザ端末の所属するグループに対応するプリコーディングコードワードおよび循環遅延を決定する。上記２つの方式を比較して、第１方式は、伝送情報量が第２方式より少ないが、ユーザ端末において所属するグループの決定操作を実行する必要がある。実際の応用では、ステップ４０１およびステップ４０２の操作を実行するために、この２つの方式のいずれかを任意に選択してよい。
【００３９】
また、本実施例はＭＩＭＯ−ＯＦＤＭシステムに対するものである。即ち、多入力多出力を同時に行うため、ここで、現在のあらゆる処理対象データに対応するユーザ端末の所属するグループが決定された後に、各ユーザ端末に対応する循環遅延およびプリコーディングコードワードを決定してもよく、１つのユーザ端末の所属するグループが決定されるたびに、直ちに循環遅延およびプリコーディングコードワードを決定してもよい。
【００４０】
なお、本実施例において、本ステップでユーザ端末の所属するグループが決定された後、無線リソースの割当を実行するようにしてもよい。ここで、低移動速度のユーザ端末に対してリアルタイムのリソース割当を実行し、高移動速度のユーザ端末に対して長時間のリソース割当を実行する。
【００４１】
ステップ４０３において、決定されたプリコーディングコードワードおよび循環遅延により、ユーザ端末の処理対象データに対してプリコーディング処理およびＣＤＤ処理を行う。
【００４２】
本ステップにおいて、まず、決定されたプリコーディングコードワードにより、該ユーザ端末の処理対象データに対してプリコーディング処理を行い、即ち該コードワードと処理対象データとを乗算し、その後、決定された循環遅延によりプリコーディング結果に対してＣＤＤ処理を行う。
【００４３】
ステップ４０４〜４０５において、処理結果に対してＳ／Ｐ変換およびＩＦＦＴ変換を行って、変換結果に循環プリフィックスを挿入する。
【００４４】
ここの２つのステップの処理を完了した後、処理対象データは、周波数領域信号から時間領域信号に変換しており、検査に便利な循環プリフィックスを有している。もちろん、ステップ４０３において、ＣＤＤ処理を実行する前に、ここのＳ／Ｐ変換およびＩＦＦＴ変換を行うようにしてよい。このように、ＣＤＤ処理は時間領域信号に対する処理になる。
【００４５】
ここまで、本実施例に係るデータ処理プロセスを完成した。
【００４６】
本実施例が下りデータ処理に対するものであるため、上記データ処理を完了した後、基地局は、処理後のデータを各送信アンテナに割り当てて、対応のユーザ端末に送信することにより、ＭＩＭＯ−ＯＦＤＭシステムの下りデータ伝送を完成する。
【００４７】
図５は、本実施例に係る上記プロセスを実行するデータ処理装置の構成を示す図である。図５に示されたデータ処理装置は、図３におけるグルーピングモジュールおよびＣＤＤプリコーディングモジュールを細分化したものである。図５を参照すると、本実施例におけるデータ処理装置は、グルーピングモジュールとＣＤＤプリコーディングモジュールとを含む。ここで、グルーピングモジュールは、制御サブモジュールと記憶サブモジュールとを含み、ＣＤＤプリコーディング処理モジュールは、プリコーディングサブモジュールとＣＤＤ処理サブモジュールとを含む。また、選択的に、本実施例におけるデータ処理装置は、図５の点線で示される変換モジュールをさらに含むようにしてよく、同様に点線で示される循環プリフィックスモジュールをさらに含むようにしてもよい。処理対象データが本実施例における下りデータである場合、上記のデータ処理装置は基地局に位置する。
【００４８】
具体的に、グルーピングモジュール内の制御サブモジュールは、ユーザ端末のチャネル特性およびＱｏＳ要求に基づいてグルーピングを行って、各グループに対応するプリコーディングコードワードおよび循環遅延を決定し、グルーピングによって得られたあらゆるグループのグループ情報、ならびに、グループとプリコーディングコードワードおよび循環遅延との対応関係を記憶サブモジュールに送信し、グルーピングモジュールの外部から、処理対象データに対応するユーザ端末のグループ情報を受信し、該ユーザ端末の所属するグループを決定し、該グループに対応するプリコーディングコードワードおよび循環遅延を、記憶サブモジュールから読み取って、ＣＤＤプリコーディング処理モジュールに送信する。グルーピングモジュール内の記憶サブモジュールは、制御サブモジュールからのあらゆるグループのグループ情報、ならびに、グループとプリコーディングコードワードおよび循環遅延との対応関係を受信記憶し、処理対象データに対応するユーザ端末の所属するグループに対応するプリコーディングコードワードおよび循環遅延を、制御サブモジュールへ提供する。
【００４９】
ＣＤＤプリコーディング処理モジュール内のプリコーディングサブモジュールは、外部からの処理対象データと、グルーピングモジュールからのプリコーディングコードワードとを受信し、受信したプリコーディングコードワードにより処理対象データに対してプリコーディング処理を行い、プリコーディング処理結果をＣＤＤ処理サブモジュールに送信する。ＣＤＤプリコーディング処理モジュール内のＣＤＤ処理サブモジュールは、グルーピングモジュールからの循環遅延と、プリコーディングサブモジュールからのプリコーディング処理結果とを受信し、受信した循環遅延によりプリコーディング処理結果に対してＣＤＤ処理を行う。
【００５０】
データ処理装置が変換モジュールと循環プリフィックスモジュールとをさらに含む場合、ＣＤＤ処理サブモジュールはＣＤＤプリコーディング処理結果を変換モジュールにも送信し、変換モジュールは受信したＣＤＤプリコーディング処理結果に対してＳ／Ｐ変換およびＩＦＦＴ変換を行い、変換結果を循環プリフィックスモジュールに送信し、循環プリフィックスモジュールは受信した変換結果に循環プリフィックスを追加して、伝送対象データを形成する。また、プリコーディングサブモジュールはプリコーディング結果を変換モジュールに送信し、変換モジュールは受信したデータに対してＳ／Ｐ変換およびＩＦＦＴ変換を行った後、変換結果をＣＤＤ処理サブモジュールに伝送するようにしてもよい。
【００５１】
基地局がユーザ端末の所属するグループを自発的に決定する第２方式を採用する場合、制御サブモジュールは、グルーピングモジュールの外部から処理対象データに対応するユーザ端末のグループ情報を受信して該ユーザ端末の所属するグループを決定するのではなく、外部からの処理対象データに対応するユーザ端末の特性パラメータを受信し、受信した特性パラメータに基づいて、前記ユーザ端末のチャネル特性およびＱｏＳ要求を決定して、該ユーザ端末の所属するグループを得る。他のサブモジュールで実行される操作は、ユーザ端末が自分の所属するグループを自発的に決定する第１方式での操作と同じである。
【００５２】
本実施例は、データ処理プロセスでユーザ端末に対するグルーピング操作を導入することによって、伝送対象信号が存在するユーザ端末に対して、そのチャネル特性およびＱｏＳ要求に適合するプリコーディングコードワードおよび循環遅延を割り当て、基地局とこれらのユーザ端末とがデータのやりとりを行う際に、ユーザ端末の要求を充分に満たすのみではなく、信号品質を向上させることができる。また、信号品質が向上したため、再送の場合が少なくなり、各ユーザ端末および基地局が単位時間で伝送可能なシグナリング数が大いに増加し、システムのスループットおよび周波数利用効率を有効に向上させた。
【００５３】
（実施例２）
本実施例は上りデータの処理に対するものである。ＣＤＤプリコーディング処理プロセスはユーザ端末で行われる。
【００５４】
図６は本実施例に係るデータ処理方法のフロ―チャートである。図６を参照すると、本実施例に係るデータ処理方法は下記のステップを含む。
【００５５】
ステップ６０１において、ユーザ端末は自分のチャネル特性およびＱｏＳ要求に基づいて自分の所属するグループを決定し、該グループに対応するプリコーディングコードワードおよび循環遅延を決定する。
【００５６】
本実施例において、ユーザ端末にグループを予め設定し、あらゆるグループのグループ情報を記憶し、かつ、各グループと循環遅延およびプリコーディングコードワードとの対応関係を記憶するＣＤＤプリコーディング処理表を作成する。上りデータの処理であるため、本ステップにおいて、ユーザ端末は、特性パラメータを測定することによって、自分のチャネル特性およびＱｏＳ要求を決定し、得られたチャネル特性およびＱｏＳ要求、ならびに記憶されているあらゆるグループのグループ情報に従って、自分を対応のグループに入れる。その後、ユーザ端末は、ＣＤＤプリコーディング処理表を検索して、該グループに対応するプリコーディングコードワードおよび循環遅延を見つける。
【００５７】
本実施例において、基地局とユーザ端末との相互協力の方式で、ユーザ端末の所属するグループ、ならびに対応のプリコーディングコードワードおよび循環遅延を決定するようにしてもよい。具体的に、基地局にグループを予め設定し、あらゆるグループのグループ情報を記憶し、ＣＤＤプリコーディングパラメータ表を作成する。ユーザ端末は定期的に、または処理対象データが存在するとき、測定を行って、自分の特性パラメータ（例えば、チャネル統計特性、移動速度など）を決定し、決定された特性パラメータを基地局に送信する。基地局は、ユーザ端末の特性パラメータを受信した後、これらの特性パラメータに基づいて該ユーザ端末のチャネル特性およびＱｏＳ要求を決定し、次に、チャネル特性およびＱｏＳ要求に基づいて該ユーザ端末を対応のグループ内に入れ、ＣＤＤプリコーディングパラメータ表に基づいて該ユーザ端末の所属するグループに対応するプリコーディングコードワードおよび循環遅延を決定し、決定されたプリコーディングコードワードおよび循環遅延をユーザ端末に送信する。該方式での伝送データ量を減少するために、本実施例では、基地局およびユーザ端末に同じコードブックおよび循環遅延表を予め設定してもよい。このように、プリコーディングコードワードおよび循環遅延情報を送信する際、プリコーディングコードワードインデックスおよび循環遅延インデックスのみを送信してよい。ユーザ端末は、受信したインデックスに基づいて、具体的なプリコーディングコードワードおよび循環遅延を見つけることができる。
【００５８】
ステップ６０２〜６０４において、ユーザ端末は、決定されたプリコーディングコードワードおよび循環遅延により、自分の処理対象データに対してプリコーディング処理およびＣＤＤ処理を行い、処理結果に対してＳ／Ｐ変換およびＩＦＦＴ変換を行って、変換結果に循環プリフィックスを挿入する。
【００５９】
上記３つのステップは、実施例１におけるステップ４０３〜４０５の操作と同じである。また、本実施例において、ＣＤＤ処理を、ＩＦＦＴ変換の後に移して、時間領域に対する処理に変えるようにしてもよい。
【００６０】
ここまで、本実施例に係るデータ処理プロセスを終了する。
【００６１】
その後、ユーザ端末は、伝送対象データを送信アンテナに割り当て、上りチャネルを介して基地局に伝送することができる。これにより、上りデータの伝送を完成する。
【００６２】
上記の２つの実施例において、グルーピング操作によって、ＣＤＤプリコーディング処理に必要なプリコーディングコードワードおよび循環遅延がいずれもグループ内のユーザ端末のチャネル特性およびＱｏＳ要求に適合することができるようになる。このように、統一的なプリコーディングコードワードおよび循環遅延による、データ処理とユーザ端末の実際要求とがマッチングしないことを有効に回避することができる。これにより、ＭＩＭＯシステムにおける信号品質を有効に向上させる。
【００６３】
図７は、本実施例に係る上記データ処理プロセスを実行するデータ処理装置の構成を示す図である。図７に示すように、本実施例におけるグルーピングモジュールは、測定サブモジュールと、制御サブモジュールと、記憶サブモジュールとを含む。ＣＤＤプリコーディングモジュールは、プリコーディングサブモジュールと、ＣＤＤ処理サブモジュールとを含む。また、実施例１に似ているものとして、本実施例に係るデータ処理装置は、点線で示される変換モジュールと循環プリフィックスモジュールとをさらに含むようにしてもよい。この２つのモジュールで実行される操作は実施例１と同じである。
【００６４】
ユーザ端末が自分の所属するグループを自発的に決定する方式を採用する場合、本実施例におけるグルーピングモジュール内の測定サブモジュールは、所属するユーザ端末の特性パラメータを測定し、得られた特性パラメータを制御サブモジュールに送信する。制御サブモジュールは、ユーザ端末のチャネル特性およびＱｏＳ要求に基づいてグルーピングを行い、各グループに対応するプリコーディングコードワードおよび循環遅延を決定し、あらゆるグループのグループ情報、ならびに、グループとプリコーディングコードワードおよび循環遅延との対応関係を記憶サブモジュールに送信し、測定サブモジュールからの特性パラメータを受信し、受信した特性パラメータに基づいて該ユーザ端末の所属するグループを決定し、該グループに対応するプリコーディングコードワードおよび循環遅延を、記憶サブモジュールから読み取って、ＣＤＤプリコーディング処理モジュールに送信する。記憶サブモジュールは、前記制御サブモジュールからのあらゆるグループのグループ情報、ならびに、グループとプリコーディングコードワードおよび循環遅延との対応関係を受信記憶し、処理対象データに対応するユーザ端末の所属するグループに対応するプリコーディングコードワードおよび循環遅延を、制御サブモジュールへ提供する。該方式で、データ処理装置における他のモジュール、サブモジュールの機能は実施例１の対応部分と同じである。該方式で、本実施例に係る処理対象データは上りデータであり、データ処理装置の各部分はユーザ端末に位置する。
【００６５】
基地局とユーザ端末との相互協力でユーザ端末の所属するグループを決定する方式を採用する場合、本実施例におけるグルーピングモジュール内の各サブモジュールで実行される操作は、ユーザ端末が自分の所属するグループを自発的に決定する方式での操作と同じであるが、ただグルーピングモジュール内の測定サブモジュール、ＣＤＤプリコーディング処理モジュール、変換モジュールおよび循環プリフィックスモジュールがユーザ端末に位置し、グルーピングモジュール内の制御サブモジュールおよび記憶サブモジュールが基地局に位置する。
【００６６】
また、基地局とユーザ端末との相互協力でユーザ端末の所属するグループを決定する方式では、グルーピングモジュールに第２制御サブモジュールと第２記憶サブモジュールとを追加するようにしてよい。図８はこの場合のグルーピングモジュールの構成を示す図である。図８を参照すると、基地局に位置する記憶サブモジュールは、あらゆるグループのグループ情報、ならびに、グループとプリコーディングコードワードおよび循環遅延との対応関係を記憶し、ユーザ端末に位置する第２記憶サブモジュールは、プリコーディングコードワードとプリコーディングコードワードインデックスとの対応関係、および、循環遅延と循環遅延インデックスとの対応関係を記憶する。データ処理プロセスにおいて、グルーピングモジュール内の測定サブモジュールは、処理対象データに対応するユーザ端末の特性パラメータを測定し、得られた特性パラメータを制御サブモジュールに送信する。制御サブモジュールは、ユーザ端末のチャネル特性およびＱｏＳ要求に基づいてグルーピングを行って、各グループに対応するプリコーディングコードワードおよび循環遅延を決定し、グルーピングによって得られたあらゆるグループのグループ情報、ならびに、各グループとプリコーディングコードワードインデックスおよび循環遅延インデックスとの対応関係を記憶サブモジュールに送信し、プリコーディングコードワードとプリコーディングコードワードインデックスとの対応関係、および循環遅延と循環遅延インデックスとの対応関係を第２制御サブモジュールに送信し、測定サブモジュールからの特性パラメータを受信し、受信した特性パラメータに基づいて該ユーザ端末のチャネル特性およびＱｏＳ要求を決定して、該ユーザ端末の所属するグループを得、記憶サブモジュールから該グループに対応するプリコーディングコードワードインデックスおよび循環遅延インデックスを読み取り、得られたインデックスを第２制御サブモジュールに送信する。第２制御サブモジュールは、前記制御サブモジュールからのプリコーディングコードワードとプリコーディングコードワードインデックスとの対応関係、および循環遅延と循環遅延インデックスとの対応関係を受信し、受信した対応関係を第２記憶サブモジュールに送信し、制御サブモジュールからのプリコーディングコードワードインデックスおよび循環遅延インデックスを受信し、前記インデックスに対応するプリコーディングコードワードおよび循環遅延を第２記憶サブモジュールから読み取って、前記ＣＤＤプリコーディングモジュールに送信する。
【００６７】
本実施例におけるデータ処理プロセスおよびデータ処理装置も、グルーピング操作によって、ユーザ端末に対して適当なプリコーディングコードワードおよび循環遅延を選択することができる。これにより、信号品質が向上し、システムのスループットおよび周波数利用効率が向上する。
【００６８】
例を挙げて説明すると、移動速度および見通し内／外を予めグルーピング標準とすることを想定する。例えば、高速グループ、低速・見通し内グループおよび低速・見通し外グループに分割される。プリコーディングコードワードおよび循環遅延をグループごとに選定する際、高速移動のユーザ端末について、そのチャネル変化が速く、リアルタイムで有効なフィードバックを行えないため、該グループに長時間フィードバックタイプのプリコーディングコードワードおよび循環遅延を割り当てる。低速移動のユーザ端末について、そのチャネル変化が緩やかで、チャネル変化をトラッキングできるため、低速グループに瞬時フィードバックタイプのプリコーディングコードワードおよび循環遅延を割り当てる。上記の考慮に基づいて、表１に示すようなＣＤＤプリコーディングパラメータ表を決定する。
【表１】
0005241380.tif 000005
【００６９】
現在、４つの処理対象データが存在する場合、各処理対象データはそれぞれ１つのユーザ端末に対応する。これらのユーザ端末は同一のセル内に位置する。ここで、各ユーザ端末のチャネル特性およびＱｏＳ要求は下記の通りである。
【００７０】
ユーザ端末１、高速移動、セルエッジに位置、低ビット誤り率を要求。
【００７１】
ユーザ端末２、低速移動、セル中心に位置、見通し内、ＱｏＳ要求無し。
【００７２】
ユーザ端末３、低速移動、セル中心に位置、見通し外、ＱｏＳ要求無し。
【００７３】
ユーザ端末４、低速移動、セル中心に位置、見通し外、ＱｏＳ要求無し。
【００７４】
グルーピングを行う際、ユーザ端末１を高速グループに入れ、ユーザ端末２を低速・見通し内グループに入れ、ユーザ端末３およびユーザ端末４を低速・見通し外グループに入れる。表１に示したＣＤＤプリコーディングパラメータ表を検索することによって、各ユーザ端末の所属するグループに対応するプリコーディングコードワードおよび循環遅延を得ることができる。その後、見つけられたプリコーディングコードワードおよび循環遅延に対応するユーザ端末の処理対象データによりＣＤＤプリコーディング処理を行う。
【００７５】
このように、ＣＤＤプリコーディングパラメータは、プリコーディングコードワードおよび循環遅延の２部分を含む。グルーピング操作およびパラメータ選択を行った後、セル内のユーザ端末とこの２部分のパラメータとの間に下記４つの場合がある。
【００７６】
１、セル内のユーザ端末は同じプリコーディングコードワードを用い、同じ循環遅延を用いる。
【００７７】
２、セル内のユーザ端末は同じプリコーディングコードワードを用い、異なる循環遅延を用いる。
【００７８】
３、セル内のユーザ端末は異なるプリコーディングコードワードを用い、同じ循環遅延を用いる。
【００７９】
４、セル内のユーザ端末は異なるプリコーディングコードワードを用い、異なる循環遅延を用いる。
【００８０】
上記は、本発明の好ましい実施例にすぎず、本発明の保護範囲を限定するものではない。本発明の精神と原則内で行われる種々の修正、均等置換え、改善などは全て本発明の保護範囲内に含まれるべきである。
【図面の簡単な説明】
【００８１】
【図１】従来のデータ処理方法のフローチャートである。
【図２】本発明に係るデータ処理方法の例示的なフローチャートである。
【図３】本発明に係るデータ処理装置を示す図である。
【図４】本発明の実施例１に係るデータ処理方法のフローチャートである。
【図５】本発明の実施例１に係るデータ処理装置の構成を示す図である。
【図６】本発明の実施例２に係るデータ処理方法のフローチャートである。
【図７】本発明の実施例２に係るデータ処理装置の構成を示す図である。
【図８】本発明の実施例２に係るグルーピングモジュールの構成を示す図である。
【図１】
0005241380.tif 000006
【図２】
0005241380.tif 000007
【図３】
0005241380.tif 000008
【図４】
0005241380.tif 000009
【図５】
0005241380.tif 000010
【図６】
0005241380.tif 000011
【図７】
0005241380.tif 000012
【図８】
0005241380.tif 000013